(57)【要約】【課題】押圧部を必要とせず、収容筒を外すことによって自動的に塗布体が回転して十分にする回転式塗布具を提供する。【解決手段】塗布用の塗布体１０が本体１２に対して回転可能に支持され、当該塗布体を覆いかつ塗布剤が収容された収容筒１６が本体に対して着脱自在に設けられ、当該収容筒を本体から外すことによって前記塗布体が本体に対して径方向に回転する回転式塗布具において、収容筒の本体に対する移動によって塗布体を回転駆動させる機構の有るスライダ１８と、当該スライダ１８と前記本体１２との間に、前記本体に対する前記スライダの移動を減速する減速部材２０とを備え、前記収容筒を本体から外す際に前記収容筒内の塗布剤が回転する塗布体に付着するようにした。【選択図】図１
2015136519.tif 000002
【特許請求の範囲】
【請求項１】
塗布用の塗布体が本体に対して回転可能に支持され、当該塗布体を覆いかつ塗布剤が収容された収容筒が本体に対して着脱自在に設けられ、当該収容筒を本体から外すことによって前記塗布体が本体に対して径方向に回転する回転式塗布具において、
収容筒の本体に対する移動によって塗布体を回転駆動させる機構の有るスライダと、
当該スライダと前記本体との間に、前記本体に対する前記スライダの移動を減速する減速部材とを備え、
前記収容筒を本体から外す際に前記収容筒内の塗布剤が回転する塗布体に付着するようにしたことを特徴とする回転式塗布具。
【請求項２】
前記減速部材は摺動摩擦を生じる複数のリング状部材を用いたものであることを特徴とする請求項１に記載の回転式塗布具。
【請求項３】
スライダの塗布体を回転駆動させる機構は、塗布体から延びた軸部に、螺旋溝の有る回転子と、スライダの爪部とを設けたものであり、この回転子の螺旋溝とスライダの爪部とが接触することによって、軸部を回転駆動させて、前記塗布体を回転することを特徴とする請求項１または２に記載の回転式塗布具。
【発明の詳細な説明】
【技術分野】
【０００１】
本発明は、まつ毛等の対象部に液体や紛体化粧料等の塗布剤を塗布するブラシ（塗布体）を回転させるようにした回転式塗布具に関する。
【背景技術】
【０００２】
従来、回転式塗布具の一種の回転式マスカラには、ブラシを回転させて化粧料を塗布しやすくしたものがある。例えば、特許文献１は、モーターのブラシを正逆回転駆動するモーター式の電動マスカラを開示している。しかしながら、このマスカラは、電気部品を必要とするため、重くなり、使い勝手が悪い。
【０００３】
また、特許文献２は、手動でブラシを回転するマスカラを開示している。しかしながら、このマスカラでは、このブラシを回転するための押し釦を収容筒に設けており、収容筒にボタン回りの構成部品が多くなり、小型・軽量化し難い。収容筒はマスカラを塗布する際に手で持つ部分であるので、小型・軽量化が要請されるが、特許文献２ではその要請にこたえ難く、使い勝手も阻害する場合がある。
【０００４】
また、特許文献３は、押圧部の押し込みによってブラシが回転して化粧料がブラシに塗布され、押し込みを解除すると逆回転するといった、回転を制御する方式のマスカラを開示している。内筒や外筒の他に押圧部を別途に必要とするため、構成部品が多くなる。
【先行技術文献】
【特許文献】
【０００５】
【特許文献１】特開２０１１−１１０１８３号公報
【特許文献２】実開昭６１−１７７５１６号公報
【特許文献３】特開２００８−９９９１８号公報
【発明の概要】
【発明が解決しようとする課題】
【０００６】
本発明は、斯かる実情に鑑み、押圧部を必要とせず、収容筒を外すことによって自動的に塗布体が回転して十分に塗布できる回転式塗布具を提供することを目的とする。
【課題を解決するための手段】
【０００７】
本発明は、塗布用の塗布体が本体に対して回転可能に支持され、当該塗布体を覆いかつ塗布剤が収容された収容筒が本体に対して着脱自在に設けられ、当該収容筒を本体から外すことによって前記塗布体が本体に対して径方向に回転する回転式塗布具において、
収容筒の本体に対する移動によって塗布体を回転駆動させる機構の有るスライダと、
当該スライダと前記本体との間に、前記本体に対する前記スライダの移動を減速する減速部材とを備え、
前記収容筒を本体から外す際に前記収容筒内の塗布剤が回転する塗布体に付着するようにしたことを特徴とする回転式塗布具である。
【０００８】
本発明において、前記減速部材は摺動摩擦を生じる複数のリング状部材を用いたものであることが好適である。
【０００９】
また、本発明において、スライダの塗布体を回転駆動させる機構は、塗布体から延びた軸部の螺旋溝の有る回転子と、スライダの爪部とを設けたものであり、この回転子の螺旋溝とスライダの爪部とが接触することによって、軸部を回転駆動させて、前記塗布体を回転することが好適である。
【発明の効果】
【００１０】
本発明において、収容筒を本体から外す際に前記収容筒内の塗布剤が回転する塗布体に付着するようにしたので、収容筒を本体から外すだけで、回転する塗布体に自動的に塗布剤を付着させるようにしたので、塗布剤が満遍なく塗布体の全周に付着させて使うことができる。塗布の際の手間を減らすことができる。
【００１１】
また、モーター等のような電気的な駆動に頼らずに、収容筒を本体から外すだけで通常の塗布具と同様に使用できる簡便な構造を提供できる。
【図面の簡単な説明】
【００１２】
【図１】本発明の回転式塗布具の実施形態(回転式マスカラ)の全体構成説明図であり、収容筒をした状態の（ａ）が側面図、（ｂ）が同状態の縦断面図である。
【図２】図１の回転式マスカラにおいて、先端の収容筒を外している途中状態の（ａ）が側面図、（ｂ）が同状態の縦断面図である。
【図３】図１の回転式マスカラにおいて、収容筒を取り去った状態で、回転開始前の説明図で、（ａ）が先側の斜視図、（ｂ）が側面図、（ｃ）が同状態の縦断面図である。
【図４】図１の回転式マスカラにおいて、収容筒を取り去った状態で、回転終了時の説明図で、（ａ）が先側の斜視図、（ｂ）が側面図、（ｃ）が同状態の縦断面図である。
【図５】図１の回転式マスカラにおいて、本体の部品図で、（ａ）が先方からの斜視図、（ｂ）が先方からの視図、（ｃ）が側面図、（ｄ）が縦断面図、（ｅ）が別方向の側面図、（ｆ）が（ｅ）の縦断面図である。
【図６】図１の回転式マスカラにおいて、スライダの部品図で、（ａ）が先方からの斜視図、（ｂ）が先方からの視図、（ｃ）が側面図、（ｄ）が縦断面図、（ｅ）が別方向の側面図、（ｆ）が（ｅ）の縦断面図、（ｇ）が後方からの斜視図、（ｈ）が後方からの視図である。
【図７】図１の回転式マスカラにおいて、回転子の部品図で、（ａ）が先方からの斜視図、（ｂ）が側面図、（ｃ）が縦断面図、（ｄ）が別方向の側面図、（ｅ）が（ｄ）の縦断面図、（ｆ）後方からの視図である。
【発明を実施するための形態】
【００１３】
以下、本発明の実施形態を添付図面の参照にて説明する。
【００１４】
図１〜図７は、実施形態に係る回転式塗布具の説明図で、図１が全体図、図２が収容筒を取り外し時、図３が回転開始時、図４が回転終了時、図５〜図７が各部品図である。
【００１５】
図１に示すように、回転式塗布具は、塗布用の塗布体（例えばマスカラ）１０が本体（キャップとも称する）１２に対して回転子１４を介し回転可能に支持され、当該塗布体１０を覆いかつ塗布剤が収容された収容筒（容器本体とも称する）１６が本体１２に対して着脱自在に設けられ、当該収容筒１６を本体１２から外すことによって前記塗布体１０が本体１２に対して径方向に回転する回転式マスカラである。
【００１６】
そして、当該回転式塗布具は、収容筒１６の本体１２に対する移動によって塗布体１０を回転駆動させる機構の有るスライダ１８と、当該スライダ１８と前記本体１２との間に、前記本体１２に対する前記スライダ１８の移動を減速する減速部材２０とを備え、前記収容筒１６を本体１２から外す際に前記収容筒１６内の塗布剤が回転する塗布体１０に付着するようにしたものである。
【００１７】
詳しくは、回転式塗布具は、図１に示すように、収容筒１６は、先端部の閉ざされた筒状体であり、収容筒１６の内部にマスカラ液等の塗布剤が収容されている。収容筒１６の後端部には雄ネジが形成されており、その雄ネジが本体１２の先端部の雌ネジに螺合している。収容筒１６を本体１２に対して一方向に回転させて取り外し、他方向に回転させて取り付けることができる構造である。図２のように取り外す時に、収容筒１６を本体１２に対して引き出して、塗布体１０を露出させる。収容筒１６の後端部には内周に膜状のしごき部１６ａが形成されており、このしごき部１６ａは後方向きに円錐側面に形成され、後端部に孔が開けられており、この孔内に軸部２２が挿通される。
【００１８】
〔収容筒１６〕
収容筒１６には、内壁面に付着する形態で塗布剤が収容され（図示省略）、収容筒１６を本体１２に固定した非使用時には塗布体１０に塗布剤が付着するようになっている。そして、使用時に、収容筒１６を本体１２から外して引き抜く際に、このしごき部１６ａの孔内周が軸部２２の外周に摺接して、塗布剤をしごき落として収容筒１６内に塗布剤を回収する構造になっている。
【００１９】
〔塗布体１０〕
塗布体１０は、まつ毛等の塗布対象部にマスカラ液等の塗布剤を塗布する繊維を束ねたものである。塗布体１０は軸部２２の先端部に径方向に伸びるように植設されて設けられている。軸部２２の後端部が回転子１４に固定される。
前記本体１２は、収容筒１６を開閉するのでキャップとも称することができる。
【００２０】
〔本体１２〕
図５に示すように、前記本体１２は後端部が閉じた概略筒状になっていて、後端部の内周径が段状に小径になっている。先端部の内周には、収容筒１６に螺合するための雌ネジが形成されている。また、本体１２においては、内周で軸方向の中央部がやや細径になり、さらに後端部が細径になった穴１２ａが有り、その穴１２ａの内周に嵌合用の突起が形成され、回転子１４の凸状嵌入部１４ａが回転自在に嵌合する穴１２ａになる。また、本体１２の後部には、穴１２ａの先方に位置して、軸方向に沿ってガイド用突起１２ｂが形成されている。
【００２１】
〔スライダ１８〕
図６に示すように、スライダ１８の先端部には、先端が板状に分割されて弾性変形可能に形成されており、対向する分割部分の内周部に突起が内向きに突出した爪部１８ａが形成されている。爪部１８ａはカンチレバー状に形成されている。
【００２２】
また、スライダ１８の中央部の外周には、複数の横溝１８ｂが間隔を置いて形成されており、この横溝１８ｂに減速部材２０が嵌め込まれて固定される。
【００２３】
また、スライダ１８の後端部には縦溝１８ｃが切り欠かれている。縦溝１８ｃには、前記本体１２のガイド用突起１２ｂが嵌り込み、スライダ１８と本体１２との相対的な回転を規制し、かつ先後への相対移動を許容する構造になっている。
【００２４】
〔回転子１４〕
図７に示すように、回転子１４は、概略棒状であり、後端部が本体１２の前記穴１２ａに嵌合する凸状嵌入部１４ａになっており、本体１２に対して回転可能で先後移動を規制又は不能に設けられている。また、回転子１４の先端部の周囲には、スライダ１８の爪部１８ａと接触離脱等して回転子１４を回転させるための螺旋溝１４ｂが螺旋状に形成されている。
【００２５】
前記螺旋溝１４ｂは、縦断面が山谷を形成しており、各山の傾斜面について先側が後方向きに傾き、後側が切り立っている。
【００２６】
したがって、使用時に収容筒１６が本体１２から外されると、前記スライダ１８がスプリング２４に押されて先方に移動し、その際に、爪部１８ａは切り立った後側面に当たって、螺旋溝１４ｂに先方向きに力を作用させるので、螺旋溝１４ｂは回転する力に変換する。一方、使用後に前記収容筒１６が本体１２に装着されると、スライダ１８が収容筒１６に押されて後方に移動し、その際に、爪部１８ａは傾斜した先側面に当たって、爪部１８ａは撓んで各山を乗り越え、つまり、螺旋溝１４ｂから逃げるため、螺旋溝１４ｂは回転しない。
【００２７】
〔減速部材２０〕
実施形態に係る回転式塗布具は、組み付け状態で、図１に示すように、回転子１４の外周と前記本体１２の内周との間には、スライダ１８が装着されており、スライダ１８の外周部には、減速部材２０を設けている。
【００２８】
回転子１４の後端部の外周には、スプリング２４が設けられており、スプリング２４がスライダ１８を先方に向けて付勢する付勢力を発生する。
【００２９】
前記減速部材２０は摺動摩擦を生じる複数のリング状部材を用いたものである。リング状部材には、シリコーン樹脂やゴム・エラストマー等からなるＯ（オー）リングを用いることができる。
【００３０】
そして、スライダ１８の塗布体１０を回転駆動させる機構は、塗布体１０から延びた軸部２２に接着または一体に固定した回転子１４であって先方部に螺旋溝１４ｂを形成した回転子１４と、スライダ１８の爪部１８ａとを設けたものであり、この回転子１４の螺旋溝１４ｂとスライダ１８の爪部１８ａとが接触離脱することによって、軸部２２を回転駆動させて、前記塗布体１０を回転するものになっている。
【００３１】
実施形態に係る回転式塗布具の作用について説明する。
【００３２】
図２に示すように、本体１２を収容筒（容器本体）１６から外すと、スライダ１８がスプリング２４に押されて先方に移動し、爪部１８ａが回転子１４の螺旋溝１４ｂの溝を押して回転子１４を回転させる。
【００３３】
移動開始時は、図３に示すように、スライダ１８は後方に位置して、図示しない爪部１８ａが螺旋溝１４ｂに接触しておらず、移動開始後は、図４に示すように、スライダ１８は先方に位置して、図示しない爪部１８ａは螺旋溝１４ｂに接触し終わる。なお、図３、図４では、爪部１８ａの位置を示している。
【００３４】
移動において、前記回転子１４の螺旋溝１４ｂはネジ溝状に成形されており、スライダ１８の爪部１８ａの前進に伴い、爪部１８ａが螺旋溝１４ｂの外縁、つまり、斜めの山谷に接触離脱するので、回転子１４が回転する力が発生し、本体１２に対して回転子１４が回転する。
【００３５】
回転子１４の回転速度を調整するため、スライダ１８には、減速部材２０が装着され、その摩擦力によって本体１２との間で摩擦制動等のダンパー効果を発揮する。
【００３６】
つまり、減速部材２０によってスライダ１８の押し出し速度は減速され、塗布体１０の回転時間が長くなり、塗布体１０の全周を満遍なく塗布剤が付着して塗布時に使えるようになる。
【００３７】
また、スライダ１８の爪部１８ａは、収容筒１６を本体１２に締めてスプリング２４が圧縮される際には、回転子１４の螺旋溝１４ｂを乗り越えられるように可撓性と傾斜が設けられており、普通に本体１２を閉じる動作をするだけで、スプリング２４を圧縮して再回転する力を自動的に溜めることができる。
【００３８】
実施形態の回転式塗布具によれば、塗布体１０が自動的に回転することで、塗布体１０に付着したマスカラ液等の塗布剤を全周満遍なく使うことができ、塗布の際の手間を減らすことができる。
【００３９】
また、モーターによる回転機構を設けないので電気的な駆動に頼らず、通常の回転式マスカラと同じ動作、使用感で上記のメリットを得られる簡便な構造を実現できる。
【００４０】
なお、前記実施形態では、塗布体にマスカラ用ブラシを設けた回転式マスカラを挙げたが、本発明はその他の化粧材、薬剤、紙面用塗布剤等の各種塗布剤の塗布具として使用できる。
【産業上の利用可能性】
【００４１】
本発明の回転式塗布具は、マスカラの他の各種塗布剤を回転する塗布体で塗布可能な塗布具に利用することができる。
【符号の説明】
【００４２】
１０  塗布体
１２  本体
１２ａ  穴
１２ｂ  ガイド用突起
１４  回転子
１４ａ  凸状嵌入部
１４ｂ  螺旋溝
１６  収容筒
１６ａ  しごき部
１８  スライダ
１８ａ  爪部
１８ｂ  横溝
１８ｃ  縦溝
２０  減速部材
２２  軸部
２４  スプリング
【図１】
2015136519.tif 000003
【図２】
2015136519.tif 000004
【図３】
2015136519.tif 000005
【図４】
2015136519.tif 000006
【図５】
2015136519.tif 000007
【図６】
2015136519.tif 000008
【図７】
2015136519.tif 000009